(57)【要約】【課題】ユーザが取得したい情報を的確に取得できる利便性の高い電子機器装置を提供する。【解決手段】時間の経過と共に変化するテレビ放送等において出力される内容に関する情報を、当該時間の経過に伴う変化に合わせて抽出し、当該抽出した情報からキーワードを生成する。そして当該キーワードを基に、当該テレビ放送等に関連する情報を検索し、検索した結果を表示画面に表示する。また、当該情報を表示画面に表示する際のレイアウトや表示順番を、記述言語に集約して一元管理する。【選択図】  図３
2004215094.tif 000002
【特許請求の範囲】
【請求項１】
特定の時間帯に出力される第１の情報に関連する第１のキーワードを第１の情報以外の情報から収集する収集手段と、
前記第１のキーワードに関連する第２の情報を検索する検索手段と、
前記第１の情報が出力されるときに、前記検索された第２の情報を出力する出力手段とを具備することを特徴とする電子機器装置。
【請求項２】
請求項１に記載の電子機器装置において、
前記第１のキーワードは、前記第１の情報から出現する可能性のあるものであって、
前記第１の情報が出力されたときに、前記第１の情報から第２のキーワードを抽出する抽出手段を更に具備し、
前記検索手段は、前記第１のキーワードと前記第２のキーワードとが一致したときに、一致したキーワードに関連する前記第２の情報を検索するものであることを特徴とする電子機器装置。
【請求項３】
請求項１に記載の電子機器装置であって、
前記第１の情報は、特定の時間帯に放送されるコンテンツであり、
前記収集手段は、特定の時間帯に放送されるコンテンツに関連する情報から前記第１のキーワードを収集するものであることを特徴とする電子機器装置。
【請求項４】
請求項１に記載の電子機器装置であって、
当該電子機器装置は、ディスクを再生するものであり、
前記第１の情報は、前記ディスクに記憶されたＴＯＣ（Ｔａｂｌｅ  Ｏｆ  Ｃｏｎｔｅｎｔｓ）情報であることを特徴とする電子機器装置。
【請求項５】
請求項１に記載の電子機器装置において、
前記出力手段は、前記第１の情報を表示画面に表示すると共に、前記検索された第２の情報を同時に表示画面に表示する手段
を更に有することを特徴とする電子機器装置。
【請求項６】
請求項５に記載の電子機器装置において、
前記表示画面に配置すべき表示領域を定義する配置情報少なくとも含むプログラムを読み込む手段と、
前記読み込んだプログラムの前記配置情報に基づいて前記表示画面に表示領域を設定するレイアウト手段とを更に具備し、
前記出力手段は、設定された前記表示領域に前記第１の情報及び前記第２の情報を同時に表示するものであることを特徴とする電子機器装置。
【請求項７】
請求項６に記載の電子機器装置において、
前記第２の情報は、１以上のリンクを含むページであり、
前記プログラムは、前記第２の情報のリンク先のページへリンク送りするための情報を更に含むものであり、
前記出力手段は更に、前記プログラムの前記リンク送りするための情報に基づいて、前記第２の情報のリンク先のページを順次取得して前記表示画面に表示するものであることを特徴とする電子機器装置。
【請求項８】
単語辞書と、
文字列を入力する手段と、
当該入力された文字列を、前記単語辞書を用いて単語単位に区分し、当該区分された各単語を更に品詞単位に区分する手段と、
当該区分された単語から名詞を抽出し、更に当該名詞から固有名詞及び前記記憶手段により記憶されていない未知語を抽出する手段と、
当該抽出された単語をキーワードとして生成する手段とを具備することを特徴とするキーワード生成装置。
【発明の詳細な説明】
【０００１】
【発明の属する技術分野】
本発明は、例えばテレビ、ＭＤ（Ｍｉｎｉ−Ｄｉｓｃ）プレイヤ、ＣＤ（Ｃｏｎｐａｃｔ  Ｄｉｓｃ）プレイヤ等の電子機器装置及びこのような装置に用いることができるキーワード生成装置に関する。
【０００２】
【従来の技術】
従来から、テレビ放送など逐次的に流れる情報からそれに関連する情報を検索する技術としては、テレビ放送の映像情報若しくは音声情報をテロップ認識又は音声認識により認識してそこから文字列を抽出し、単語辞書を参照して当該文字列からキーワードを生成し、当該キーワードを基にそれに関連する情報を検索し、当該情報をテレビ画面に表示するというものがある（特許文献１、特許文献２等参照）。
【０００３】
【特許文献１】
特願平１１−１６１６６１
【特許文献２】
特願平１１−２５００６８。
【０００４】
【発明が解決しようとする課題】
しかしながら、テレビ放送から得られる情報は、時間帯によってその内容が大きく異なるため、そのような情報から一律に一つの単語辞書を参照してキーワードを取得しようとすると、テレビ放送の内容に直接関連性の無い単語まで抽出してしまい、放送に関連した的確なキーワードが取得しにくいという問題があった。また、テレビ放送で使用される言葉には一時性があるものも多いが、そのような言葉こそキーワードとして重要な場合が多いにもかかわらず、そのような言葉は単語辞書には記憶されていない場合が多く、キーワードとして抽出されないため、ユーザが最も取得したい情報を得ることができないという問題もあった。
【０００５】
本発明は、このような課題を解決するためになされるものであり、ユーザが取得したい情報を的確に取得できる利便性の高い電子機器装置を提供することを目的としている。
【０００６】
【課題を解決するための手段】
上記目的を達成するために、本発明に係る電子機器装置は、特定の時間帯に出力される第１の情報に関連する第１のキーワードを第１の情報以外の情報から収集する収集手段と、前記第１のキーワードに関連する第２の情報を検索する検索手段と、前記第１の情報が出力されるときに、前記検索された第２の情報を出力する出力手段とを具備することを特徴としている。
【０００７】
この構成によれば、特定の時間帯に出力される第１の情報に関連する第１のキーワードを第１の情報以外の情報から収集し、それに関連する第２の情報を検索しているので、的確なキーワードによる検索が行え、ユーザが取得したい情報を的確に取得できる。
【０００８】
本発明に係る電子機器装置は、前記第１のキーワードは、前記第１の情報より出現する可能性のあるものであって、前記第１の情報が出力されたときに、前記第１の情報から第２のキーワードを抽出する抽出手段を更に具備し、前記検索手段は、前記第１のキーワードと前記第２のキーワードとが一致したときに、一致したキーワードに関連する前記第２の情報を検索するものであることを特徴としている。
【０００９】
この構成によれば、予め収集した第１のキーワードと、第１の情報が出力されたときに抽出される第２のキーワードとのマッチングをとることにより、検索するためのより的確なキーワードを抽出することができ、当該キーワードで検索を行うことによりユーザに対してより的確な情報を提供することができる。
【００１０】
本発明に係る電子機器装置は、前記第１の情報は、特定の時間帯に放送されるコンテンツであり、前記収集手段は、特定の時間帯に放送されるコンテンツに関連する情報から前記第１のキーワードを収集するものであることを特徴としている。
【００１１】
この構成によれば、放送されるコンテンツに関連する情報を、当該放送と同時に出力することができ、ユーザに対して、有用で的確な情報を提供することができる。
【００１２】
本発明に係る電子機器装置は、ディスクを再生するものであり、前記第１の情報は、光ディスクに記憶されたＴＯＣ（Ｔａｂｌｅ  ｏｆ  Ｃｏｎｔｅｎｔｓ）情報であることを特徴としている。
【００１３】
この構成によれば、ディスクが再生されているときに、再生されている曲に関連する情報を検索し、当該検索によって取得された情報を当該再生と同時にユーザに提供することができる。
【００１４】
本発明に係る電子機器装置は、前記出力手段は、前記第１の情報を表示すると共に、前記検索された第２の情報を同時に表示する手段を更に有することを特徴としている。
【００１５】
この構成によれば、検索によって得られた情報を映像として表示することにより、ユーザは当該情報を視覚的に認識でき、ユーザの利便性を高めることができる。
【００１６】
本発明に係る電子機器装置は、前記表示画面に配置すべき表示領域を定義する配置情報少なくとも含むプログラムを読み込む手段と、前記読み込んだプログラムの前記配置情報に基づいて前記表示画面に表示領域を設定するレイアウト手段とを更に具備し、前記出力手段は、設定された前記表示領域に前記第１の情報及び前記第２の情報を同時に表示するものであることを特徴としている。
【００１７】
この構成によれば、プログラムによって表示画面の表示領域を定義できるため、表示画面に情報を表示する際には、ユーザの好みにあったレイアウトで表示でき、ユーザの利便性を高めることができる。
【００１８】
本発明に係る電子機器装置は、前記第２の情報は、１以上のリンクを含むページであり、前記プログラムは、前記第２の情報のリンク先のページへリンク送りするための情報を更に含むものであり、前記出力手段は更に、前記プログラムの前記リンク送りするための情報に基づいて、前記第２の情報のリンク先のページを順次取得して前記表示画面に表示するものであることを特徴としている。
【００１９】
この構成によれば、表示画面には、前記第２の情報のリンク先のページを順次取得して表示することができるため、ユーザの所望する情報をより多様で詳細な形で提供することができる。
【００２０】
本発明に係るキーワード生成装置は、単語辞書と、文字列を入力する手段と、当該入力された文字列を、前記単語辞書を用いて単語単位に区分し、当該区分された各単語を更に品詞単位に区分する手段と、当該区分された単語から名詞を抽出し、更に当該名詞から固有名詞及び前記記憶手段により記憶されていない未知語を抽出する手段と、当該抽出された単語をキーワードとして生成する手段とを具備することを特徴としている。
【００２１】
この構成によれば、固有名詞だけでなく、単語辞書に登録されていない未知語まで抽出できるため、より的確なキーワードを生成することができる。
【００２２】
【発明の実施の形態】
以下、本発明の実施の形態を図面に基づき説明する。
【００２３】
まず、本発明をテレビジョンセットに適用した例について説明する。
【００２４】
図１は、本発明の第１の実施形態に係るテレビジョンセットのシステムを示す概略図、図２は図１の制御部のブロック図である。
【００２５】
図１に示すように、このテレビジョンセット１００は、外部情報源との接続手段であるインターフェース部１０１と、このインターフェース部１０１より入力された映像情報と音響情報とを分離するＡ／Ｖ＿ＳＷ１０２と、映像情報を処理する映像部１０３と、音響情報を処理する音響部１０４と、ユーザからの操作命令を入力する操作入力部１０５と、各部の制御とともに各種の演算処理を実行する制御部１０６とで構成される。
【００２６】
インターフェース部１０１には、ＷＷＷ（Ｗｏｒｌｄ  Ｗｉｄｅ  Ｗｅｂ）１０７との接続手段であるネットワークインターフェース部１０８、ＢＳ放送を選曲するＢＳチューナ１０９、地上波放送を選曲する地上波チューナ１１０、ビデオ入力端子１１１、オーディオ入力端子１１２、メモリカードの読み書きを行うメモリカードスロット１１３、ディジタルビデオカメラ等からの情報を取り込むためのｉ．ＬＩＮＫ（ＤＶ端子）１１４などが設けられている。なお、ビデオ入力端子１１１からは、例えばＤＶＤ（Ｄｉｇｉｔａｌ  Ｖｅｒｓａｔｉｌｅ  Ｄｉｓｃ）、ＰＣ（Ｐｅｒｓｏｎａｌ  Ｃｏｍｐｕｔｅｒ）、ゲーム機などのデジタルデータを扱う機器１１５からの映像情報を取り込むことができる。
【００２７】
映像部１０３は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などのディスプレイ１１６と、Ａ／Ｖ＿ＳＷ１０２によって選択された映像情報からディスプレイ１１６に表示可能な映像信号を生成するＹ／Ｃシンクシグナルプロセッサ１１７とからなる。
【００２８】
音響部１０４は、Ａ／Ｖ＿ＳＷ１０３によって選択された音響情報を処理するサウンドプロセッサ１１８と、サウンドプロセッサ１１８より出力されたオーディオ信号を増幅するオーディオアンプ１１９と、増幅後のオーディオ信号を聴覚的に出力するスピーカ１２０とで構成される。
【００２９】
操作入力部１０５は、テレビジョンセット本体に設けられたキー／スイッチ部１２１と、リモートコントローラ１２２との間でＩｒ（Ｉｎｆｒａｒｅｄ）無線通信を行う赤外線通信部１２３とからなる。
【００３０】
また、制御部１０６には図２に示すように、演算と制御とをするＣＰＵ（Ｃｅｎｔｒａｌ  Ｐｒｏｃｅｓｓｉｎｇ  Ｕｎｉｔ）２０１、必要に応じて一時的に映像情報、音響情報、データ及びソフト等を記録し、電子機器装置であるテレビジョンセット１００の制御をより円滑に行うＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、データ格納部２０４及び各種のソフトウェアが格納されたソフトウェア格納部２０５が備えられている。
【００３１】
データ格納部２０４には、単語辞書２０６、画面のレイアウト及び表示されたＷｅｂページのリンク送りを行うためのＳＭＩＬデータである表示プログラムデータ２０７が制御部の制御下格納されている。
【００３２】
また、ソフトウェア格納部２０５には、キーワード収集機構２０８、情報検索機構２０９、文字情報認識機構２１０、画像情報認識機構２１１、音声情報認識機構２１２、記述読込み機構２１３、記述判定機構２１４、情報制御機構２１５、レイアウト機構２１６、リンク送り機構２１７等のソフトウェアが格納されている。
【００３３】
本発明の第１の実施形態に係るテレビジョンセット１００は、テレビ放送の画像を表示画面に表示すると共に、当該放送に関連する情報を検索し、当該検索結果を表示画面に同時に表示する構成を有する。図３は、本発明の第１の実施形態に係る表示画面のレイアウト例を示す図である。
【００３４】
同図に示すように、前記表示画面は、テレビ放送等の動画３０１、当該テレビ放送に出現するキーワードに関連する情報をＷｅｂ検索した結果のＷｅｂページ３０２、及び当該Ｗｅｂページのリンク先のＷｅｂページ３０３をそれぞれ表示するための表示領域を有し、各領域の情報は同時に表示される。
【００３５】
なお、当該表示領域は、図４に示すように、ユーザが好みのレイアウトを選択することにより決定され、また、図５及び図６に示すように各表示領域のソース等もユーザが設定することができる。これらの機能の詳細については後述する。
【００３６】
ここで、本発明の第１の実施形態に係るテレビジョンセットが、前記キーワードを生成し、当該キーワードに関連する情報を検索する手段について説明する。
【００３７】
図７及び図８は、本発明の一実施形態に係るキーワード収集手段の構成を示す説明図である。
【００３８】
キーワード収集機構はまず、テレビジョンセット１００がテレビ放送を受信している最中に、当該受信しているテレビ放送の視聴チャンネルデータ及び現在時刻データを認識し、当該データを基に、ネットワークインターフェース部１０８を介してＷｅｂ上から上記テレビ放送番組に関する情報を取得する。
【００３９】
具体的には、図７に示すように、例えばＷｅｂ上のテレビ番組表（ＥＰＧ、Ｅｌｅｃｔｒｉｃ  Ｐｒｏｇｒａｍ  Ｇｕｉｄｅ）７０１を掲載したホームページへアクセスし、前記認識したデータと当該テレビ番組表とを照合し、当該テレビ番組のテーブルであるＨＴＭＬ（Ｈｙｐｅｒ  Ｔｅｘｔ  Ｍａｒｋｕｐ  Ｌａｎｇｕａｇｅ）を解析することにより、番組名、番組の内容、出演者等の当該テレビ番組に関連する情報をダウンロードする。
【００４０】
なお、キーワード収集機構２０８は、テレビジョンセット１００がテレビ放送を受信している最中だけでなく、テレビ放送が放送される前に予め前記キーワードを前記手順と同様に収集しておくような態様にしてもよい。
【００４１】
そして、同図に示すように、前記キーワード収集機構２０８は、前記ダウンロードした情報をテキスト形式に変換し、当該変換したテキストを、放送局名、番組名、時間、文章等の項目に分けて項目ごとにデータベース７０２を作成する。
そして、図８に示すように、当該データベース７０２の文章項目中の文章を、形態素解析等の解析法により単語単位及び品詞ごとに区分してテーブル８０１を作成する。すなわち、予め単語を当該単語の品詞に関するデータと対応させて記憶してある単語辞書２０６を用いることにより、文章を単語単位に区分し、当該区分された単語を品詞ごとに区分する。更に、当該区分されたテーブル８０１中の単語から固有名詞及び前記単語辞書２０６に記憶されていない未知語を抽出することで、当該抽出された単語が第１のキーワードとして生成される。そして、生成された第１のキーワードは放送局名、番組名、放送時間等のデータと共にテーブル化（８０２）される。
【００４２】
ここで、固有名詞及び単語辞書２０６に記憶されていない未知語を抽出するのは、一般的に固有名詞は人名であったり地域の名前であったりすることが多いため、単なる単語と違い、テレビ番組に関連するキーワードとなる可能性が高いからである。また、単語辞書２０６に登録されていない未知語は、一時的な流行語であったり、あまり一般的ではない有名人の名前であったりする可能性が高く、それらの単語も、テレビ番組に関連する重要なキーワードとなる可能性が高いからである。但し、前記単語辞書に登録されていない未知語を抽出する場合は、特殊な記号など意味を持たないものも抽出されてしまう可能性があるため、言葉として明らかに意味を持たないと思われる語は、予め除去しておき、キーワード抽出の精度を高めておく。
【００４３】
一方、例えば図９に示すように、文字情報認識機構２１０は、前記テレビジョンセット１００が受信しているテロップ９０１のような文字情報を認識し、また画像情報認識機構２１１は人物の映像等の画像情報９０２を認識し、音声情報認識機構２１２は音楽等の音声情報９０３を認識して、それぞれ形態素解析等により第２のキーワードを生成し、前記キーワード収集機構２０８と同様にテーブル（図示せず）を作成する。
【００４４】
そして、情報検索機構２０９は、前記生成された第１のキーワードと第２のキーワードとを照合し、それらが一致したときに、当該一致したキーワードを基にネットワークインターフェース部１０８を介して、Ｗｅｂ上の検索エンジンにより当該キーワードに関連する情報を検索する。
【００４５】
図１０は、本発明に係るテレビジョンセット１００がキーワードを生成し、当該キーワードを基に関連情報を検索し、検索結果を表示画面に表示するまでの流れを表したフロー図である。
【００４６】
同図に示すように、まず、ＥＰＧデータ、テロップ等の文字情報、人物の映像等の画像情報及び音楽等の音声情報といった認識要素をテレビジョンセット１００に入力するための準備をする（ステップ１００１）。当該準備が整い、認識要素の入力が完了した場合（ステップ１００２のＹｅｓ）には、ＥＰＧデータの認識、文字情報認識、画像情報認識、音声情報認識のそれぞれの認識機構の準備をする（ステップ１００３）。当該準備が整い、認識を完了した場合（ステップ１００４のＹｅｓ）には、次に、認識した情報を上述したように単語単位に分割して抽出するための準備をする（ステップ１００５）。当該準備が整い、当該単語の抽出を完了すると（ステップ１００６のＹｅｓ）、抽出した単語を一旦記憶する（ステップ１００７）。そして、当該記憶した単語から更に固有名詞及び未知語を抽出し、キーワードとして生成するための準備をする（ステップ１００８）。当該準備が整い、キーワードの生成が終了すると（ステップ１００９のＹｅｓ）、当該キーワードを基に検索エンジンによって関連情報を検索するための準備をする（ステップ１０１０）。当該準備が整い、Ｗｅｂ検索が終了すると（ステップ１０１１のＹｅｓ）、検索された結果を表示画面に表示するための準備をする（ステップ１０１２）。そして、当該検索結果をテレビ放送の画像と共に表示する（ステップ１０１３）ことにより終了する。
【００４７】
なお、当該検索の方法としては、複数のキーワードを論理和（ＯＲ）及び論理積（ＡＮＤ）として検索する態様にしてもよい。
【００４８】
また、当該検索に用いる検索エンジンは、ユーザの選択により自由に指定することが可能である。この機能については後述する。
【００４９】
以上の構成によれば、キーワード収集手段が、特定の時間帯に放送されるテレビ番組に関する情報を基にキーワードを生成し、当該キーワードを基に検索するため、当該テレビ番組に関連し、ユーザの求める情報を的確に取得することができる。特に、Ｗｅｂ上のＥＰＧデータは、テレビ番組ごとに当該テレビ番組にのみ関連する情報を掲載しているため、当該情報を基に生成されたキーワードは、単語辞書のみを用いて生成されたキーワードに比べて、当該テレビ番組に関連する可能性が非常に高く、当該キーワードを基に情報を検索することにより、的確な情報を取得することができる。換言すれば、当該キーワードは、時間の経過に伴って逐次変化し、性格の異なる情報から、特定の時間帯の情報に絞って抽出していくものであるため、当該キーワードを基に当該特定の時間に出力される情報に関連する情報を検索する場合には、時間の経過に沿った的確な情報を取得することが可能となる。
【００５０】
次に、本発明において、テレビジョンセット１００が前記検索された情報を表示画面に表示するシステムについて説明する。
【００５１】
前記映像部は、前記検索により取得された情報を、受信しているテレビ放送の映像と共にテレビジョンセット１００の表示画面に表示する。
【００５２】
この際、取得された情報をただ単純に表示画面に表示するだけでは、ユーザにとって見にくい場合もあり、ユーザの利便性を損ねることとなる。そこで本発明に係るテレビジョンセット１００は、ユーザの好みに合わせて表示画面のレイアウトを変更する機能を有する。すなわち、テレビジョンセット１００は、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）等のＸＭＬ（ｅＸｔｅｎｓｉｂｌｅＭａｒｋｕｐ  Ｌａｎｇｕａｇｅ）をベースとした記述言語を用いることにより、表示画面上の各表示領域のサイズ及び位置を規定することが可能となる。
【００５３】
ここで、ＸＭＬとは、Ｗｅｂ上で文書やデータを交換したり、配布したりするときの標準となる可能性のある重要なマークアップ言語である。ＸＭＬの特徴として、タグを自分で定義できることや、データの内容の意味がタグで表されていること等があり、拡張可能性があるとされている。
【００５４】
また、ＳＭＩＬとは、静止画や動画、音声等のマルチメディアデータを統合してＷｅｂ（Ｗｏｒｌｄ  Ｗｉｄｅ  Ｗｅｂ）ページとの同期を実現するものである。
【００５５】
以下、ＸＭＬ及びＳＭＩＬを記述言語に用いることにより、表示画面のレイアウトを変更する機能について説明する。
【００５６】
まず、本発明においてレイアウトを変更するために必要な表示プログラムについて説明する。
【００５７】
ＳＭＩＬの記述による表示プログラムでは、外部情報源との間で信号のやり取りをするためのインターフェースを選択する表示情報を、ＵＲＩのルールにより、データベースの構造の定義とされるＵＲＩスキーマを利用して規定している。
【００５８】
具体的には、表示プログラムは、複数の表示領域を定義し夫々レイアウトする部分と、その定義された表示領域にどの外部情報源からの情報を表示するかを定義するとともに、他の情報を付加させる部分を有している。これにより、特定の外部情報源からの情報を表示することを定義できるので、ＵＲＩのルールを利用して自由に外部情報源からの情報を表示画面でレイアウトできる。
【００５９】
例えば、ＳＭＩＬの記述がされた図１１に示すようにｒｅｇｉｏｎ要素１１０３〜ｒｅｇｉｏｎ要素１１０５にある”ｒｅｇｉｏｎ”というタグ名と属性名”ｉｄ”とを使って”ｒｅｇｉｏｎ  ｉｄ”とし、複数の表示領域をそれぞれ属性値”ｒ１”、”ｒ２”、”ｒ３”等を用いて特定している。
【００６０】
なお、例えばｒｅｇｉｏｎ要素１１０４においては、ｔｏｐ＝０、ｌｅｆｔ＝３１９とあるので、表示領域ｒ２の左上が、上から０で右横へ３１９の所となることを示している。
同様に、ｗｉｄｔｈとｈｅｉｇｈｔでそれぞれ当該表示領域の横の長さと縦の長さを規定している。
【００６１】
また、ｖｉｄｅｏ要素１１０７やｔｅｘｔ要素１１０８のように上述の”ｒｅｇｉｏｎ  ｉｄ”により定義された各領域ｒ１、ｒ２及びｒ３には、どの外部情報源からの情報を表示するかを、ＵＲＩを利用し、その後に例えば属性名”ｓｒｃ”及びＵＲＬを記述することにより外部情報源を特定することができる。
【００６２】
例えば、ｔｅｘｔ要素１１０８では、
＜ｔｅｘｔ  ｉｄ  ＝”ｉｄ２”  ｓｒｃ＝”ｈｔｔｐ：／／ｗｗｗ．ｇｏｏｇｌｅ．ｃｏ．ｊｐ／ｓｅａｒｃｈ？ｑ＝＄＄＄＄”  ｒｅｇｉｏｎ＝”ｒ２”／＞
と記述し、”ｓｒｃ”の後に続くＵＲＬにより外部情報源を特定している。なお、ｓｅａｒｃｈ？ｑ＝＄＄＄＄”という記述は、？の後に続くキーワード（＄＄＄＄の部分）によって検索した結果のページを表示することを意味している。
【００６３】
更に表示プログラムは、いく通りかの画面レイアウト例や画面レイアウトされた映像情報を、画面レイアウトデータとして格納することもできる。また、例えば磁気ディスク及びＣＤ−ＲＯＭ（ＣＤ−Ｒｅａｄ  Ｏｎｌｙ  Ｍｅｍｏｒｙ）等に記録可能である他、制御部１０６本体の他のメモリ及び外部メモリに記録できるものである。これによって表示プログラムを多面的に利用でき、クライアントの機器に対応した画面レイアウトが可能となる。
【００６４】
以上のような表示プログラムを作成することで、テレビジョンセット１００の表示画面のレイアウトを変更することが可能となり、ユーザにとってより見やすい画面で情報を提供することができる。
【００６５】
次に、上記表示プログラムを用いて画面レイアウトを行うために必要な、ソフトウェア格納部２０５に格納された前記各ソフトウェアについて説明する。
【００６６】
記述読込み機構２１３は、例えばデータ格納部２０４に画面レイアウトデータとして格納する表示プログラムの記述を、ＣＰＵ２０１のコントロール下読込むもので、読込まれた情報は記述判定機構２１４に送られる。
【００６７】
記述判定機構２１４は、読込まれたプログラムが正しいＸＭＬ文章であるかを判定し、正しいＸＭＬ文章であればパーシングをして更にＳＭＩＬ文章であるかを判定し、ＳＭＩＬ文章であればパーシングをしてＳＭＩＬ文書を意味のある部分に切り分ける。
【００６８】
また、記述判定機構２１４は切り分けられた部分を、複数の表示領域を定義し夫々レイアウトする部分と、その定義された表示領域にどの外部情報源からの情報を表示するかを定義するとともに、他の情報を付加させる部分に分けてそれぞれの内容を判定する。これにより、特定の外部情報源からの情報を表示することを定義できるので、ＵＲＩのルールを利用して自由に外部情報源からの情報を表示画面でレイアウトできる。
【００６９】
具体的にいうと、記述判定機構２１４は切り分けられた部分を例えば、＜ｈｅａｄ＞要素と＜ｂｏｄｙ＞要素として捉え、＜ｈｅａｄ＞要素では＜ｌａｙｏｕｔ＞要素に表示領域が定義されレイアウトされたか判定し、＜ｂｏｄｙ＞要素では定義された表示領域にどの外部情報源からの情報を表示するかを定義されているか判定する。
【００７０】
レイアウト機構２１６は、読込まれたプログラムの複数の表示領域を定義し夫々レイアウトする部分の記述判定機構２１４による判定に基づくレイアウト情報を受けて、表示画面をレイアウトする。
【００７１】
情報制御機構２１５は、記述判定機構２１４によって与えられた表示情報制御用のパラメータにより、ＢＳ放送等の具体的チャンネル情報をＢＳチューナ１０９に、個別機器のコントロール情報等を対応する機器に受け渡すことができる。
【００７２】
以上の各ソフトウェア及び表示プログラムを具備することにより、表示画面における画面のレイアウトが可能となる。
【００７３】
本発明に係るテレビジョンセットは更に、キーワードによる検索の結果、表示画面に表示されたページを表示するだけでなく、当該ページのリンク先のページを順次取得して、表示画面に設定された表示領域に表示させることができる。以下、当該リンク送り手段について説明する。
【００７４】
上述したように、表示プログラム中の＜ｂｏｄｙ＞要素内で、Ｗｅｂ上のページを指定する場合、図９の要素１１０８に示すように、
＜ｔｅｘｔ  ｉｄ  ＝”ｉｄ２”ｓｒｃ＝”ｈｔｔｐ：／／ｗｗｗ．ｇｏｏｇｌｅ．ｃｏ．ｊｐ／ｓｅａｒｃｈ？ｑ＝＄＄＄＄”  ｒｅｇｉｏｎ＝”ｒ２”／＞  …（１）
と表記する。
【００７５】
このように、ＳＭＩＬではファイルを直接指定で表記するため、検索結果のページ内にあるリンク先のページを指定することは現在のＳＭＩＬ規格の範囲では不可能である。というのも、検索結果のページを解析してからでないとリンク先の情報が得られないからである。すなわち、表記段階では、リンク先が分からず、そのリンク先を指定できないことになる。
【００７６】
そこで、図１１の要素１１０９に示すように、
＜ｔｅｘｔ  ｉｄ  ＝”ｉｄ３”ｓｒｃ＝”ｈｔｔｐ：／／ｗｗｗ．ｇｏｏｇｌｅ．ｃｏ．ｊｐ／ｓｅａｒｃｈ？ｑ＝＄＄＄＄？？ｄｕｒ＝５”    ｒｅｇｉｏｎ＝”ｒ３”／＞…（２）
というように、ＵＲＩ（Ｕｎｉｆｏｒｍ  Ｒｅｓｏｕｒｃｅ  Ｉｄｅｎｔｉｆｉｅｒｓ）表記に属性として？？ｄｕｒ＝５の記述を追加する。
【００７７】
？？以降にｄｕｒ＝が記述されていた場合、？？以前に記述されたファイル名を検索結果のページ（リンク元のページ）とし、その検索結果のページのリンク先を表示するという意味を持たせている。ｄｕｒ＝以降の数字は、検索結果のページ内にあるリンクの移動間隔を示す。上記例では５秒間隔でリンクが移動するという意味になる。
【００７８】
よって、図１１のｔｅｘｔ要素１１０９にアンダーラインで表した部分が拡張個所である。ここでは、＜ｈｅａｄ＞要素の子どもの＜ｌａｙｏｕｔ＞要素において、３つの領域  ”ｒ１”、  ”ｒ２”及び”ｒ３”が定義されており、領域”ｒ２”で指定された範囲には、リンク元のページであるｈｔｔｐ：／／ｗｗｗ．ｇｏｏｇｌｅ．ｃｏ．ｊｐ／ｓｅａｒｃｈ？ｑ＝＄＄＄＄が表示され、領域”ｒ３”で指定された範囲には、領域”ｒ２”で表示しているリンク元のページに含まれるリンク先が表示されることになる。リンクの移動は５秒間隔で行われる。
【００７９】
以上のようなＳＭＩＬ表記によって以下のようなリンク先の自動送りが実現される。
【００８０】
図１２に、ページ間のリンクの例を示す。検索結果のページ（リンク元のページ）１２０１には、リンク先のページのアドレスを含む複数の項目１２０１ａ，１２０１ｂ，１２０１ｃ，１２０１ｄ，・・・・が定義されているものとする。
【００８１】
上述したように、図１１に示したＳＭＩＬ表記により、表示画面には、図１３に示すように、３つの表示領域ｒ１，ｒ２，ｒ３が設定される。そして、表示領域ｒ２に検索結果のページ１１０１が表示され、表示領域ｒ３には、検索結果のページ１２０１の個々の項目１２０１ａ，１２０１ｂ，１２０１ｃ，１２０１ｄ，・・・・に対応するリンク先のページ１２０１−１，１２０１−２，１２０１−３，１２０１−４，・・・・が５秒間隔で１ページずつ切り替えて表示される。
【００８２】
ところで、最初に検索結果のページ１２０１が表示されたとき、その先頭の項目１２０１ａにフォーカスがあてられる。ここで、フォーカスとは、個々の表示領域において常に一つのオブジェクトに入力権限を与えるための機能である。フォーカスがあてられたオブジェクトはたとえば下線引きや変色等によって視覚的に識別することが可能となっている。
【００８３】
このテレビジョンセット１００では、決められた時間間隔でタイマー割り込み処理が発生し、フォーカス対象のオブジェクトを次へ移動させるための移動コードが表示領域ｒ２に対して送信される。
【００８４】
この移動コードにより、表示領域ｒ３で新たにフォーカスがあてられたオブジェクトが項目であるならば、この項目に定義されているリンク先のページのアドレスを表示領域ｒ３に表示させるリンク先のページの情報として設定することで、リンク先のページの表示が実現される。
【００８５】
また、図１４に示すように、検索結果のページ１２０１の複数のリンク先１２０１−１、１２０１−２を同時に表示することも可能である。
【００８６】
この場合、ＳＭＩＬデータに次のような表記の拡張を行えばよい。
＜ｔｅｘｔ  ｉｄ＝”ｉｄ３”ｓｒｃ＝”ｈｔｔｐ：／／ｗｗｗ．ｇｏｏｇｌｅ．ｃｏ．ｊｐ／ｓｅａｒｃｈ？ｑ＝＄＄＄＄？？ｄｕｒ＝５；ｉｔｅｍ＝２，１”ｒｅｇｉｏｎ＝”ｒ３”／＞…（３）
ここでは新たにｉｔｅｍ＝２，１の表記が追加されている。
【００８７】
ｉｔｅｍ＝ｉ，ｊは、リンク間の移動間隔とリンク間の移動開始位置を指定する属性であり、ｉがリンク間の移動間隔を示し、ｊがリンク間の移動開始位置を示す。（３）の例は、この属性を持つリンク先の表示領域には最初に先頭のリンク先を表示させ、次には、二つ移動した先頭から三番目のリンク先を表示させることを意味する。
【００８８】
ｉｔｅｍ＝ｉ，ｊの指定がなければ、リンク先の表示領域ｒ３には、リンク先が順に表示される。この属性の追加により、任意の表示領域にそれぞれ異なったリンク先を表示させることができる。
【００８９】
上記拡張を用い、図１４の表示を実現するためのＳＭＩＬ表記の例を図１５に示す。ｔｅｘｔ要素１５０１〜１５０４が拡張個所である。この例では、領域”ｒ２”で指定された範囲にｈｔｔｐ：／／ｗｗｗ．ｇｏｏｇｌｅ．ｃｏ．ｊｐ／ｓｅａｒｃｈ？ｑ＝＄＄＄＄のページを表示し、領域”ｒ３”で指定された範囲には領域”ｒ２”に表示されているｈｔｔｐ：／／ｗｗｗ．ｇｏｏｇｌｅ．ｃｏ．ｊｐ／ｓｅａｒｃｈ？ｑ＝＄＄＄＄のページに含まれるリンク先の一つ、すなわち図１２で示すところの「見出し１」のページ１２０１−１が表示される。そして、領域”ｒ４”で指定された範囲には、領域”ｒ２”に表示されているｈｔｔｐ：／／ｗｗｗ．ｇｏｏｇｌｅ．ｃｏ．ｊｐ／ｓｅａｒｃｈ？ｑ＝＄＄＄＄のページ内に含まれるリンク先で、かつ領域”ｒ３”に表示されているリンク先の次のリンク先、すなわち図１２で示すところの「見出し２」のページ１２０１−２が表示される。
【００９０】
その５秒後には、領域”ｒ３”に「見出し３」のページが、領域”ｒ４”には「見出し４」のページが表示される。
【００９１】
このように、上記の拡張により、検索結果のページの任意の数のリンク先を個々の領域に表示し、その任意の数の領域の単位でリンク先の表示を切り替えることができる。
【００９２】
ところで、検索結果のページのリンク先のページを表示する場合、当該リンク先のページが英語等の外国語で表記されている場合もある。このような場合、当該外国語の読解が得意でないユーザは当該ページを読むことができず、ユーザの利便性を損ねることとなる。そこで、本発明に係るテレビジョンセット１００は、外国語で表記されたリンク先のページを日本語に翻訳する機能を有する。
【００９３】
当該翻訳には、Ｗｅｂ上で翻訳サービスを行っている翻訳サイトを利用する。
表示プログラム上では、図１６のｔｅｘｔ要素１６０１のアンダーライン箇所に示すような拡張を行う。すなわち、当該記述では、ＵＲＬ記述箇所１６０２に前記翻訳サイトのＵＲＬ（例えばＵＲＬ１６０３）を入力する。なお、当該翻訳サイトにおいては、翻訳したいページのＵＲＬを入力することにより翻訳が実行されるが、表示プログラム上においては、ＵＲＬ１６０３中に”＃＃＃＃＃”で示した箇所１６０４に当該翻訳したいページのＵＲＬ、すなわち前記検索結果のページの前記リンク先のページのＵＲＬを入力することにより当該ページの翻訳が実行される。なお、翻訳に利用する翻訳サイトは、ユーザの選択により自由に変更することができる。翻訳を実行する際のユーザの操作については後述する。
【００９４】
ここまで、本発明に係る画面レイアウト手段及びリンク送り手段の構成を説明してきたが、次に、以上のように構成されたテレビジョンセット１００が、画面レイアウト及びリンク送りを実行する場合の動作を説明する。
【００９５】
図４、図５、図６はそれぞれユーザにソースを選択させる画面の説明図、図１７は表示画面のレイアウト及びリンク送りが設定され、画面が表示されるまでの流れを示したフローチャート図である。
【００９６】
上述したように、テレビジョンセット１００の表示画面には、表示領域ｒ１にテレビ放送情報、表示領域ｒ２に当該テレビ放送に関連する情報をキーワードを基に検索した結果のＷｅｂページ、及び表示領域ｒ３に当該Ｗｅｂページのリンク先のＷｅｂページが同時に表示される。
【００９７】
まず、ユーザが例えばテレビジョンセット１００でテレビ放送を受信している最中に、リモートコントローラ１２２等に予め定められたＷｅｂ情報表示モードボタンを押すことにより、テレビジョンセットの表示画面にはＷｅｂ情報表示設定画面が表示される（ＳＴ１７０１）。
【００９８】
まず、図４に示すような複数の画面レイアウト例４０１、４０２等が表示される。勿論、画面レイアウト例は図４に示される４例だけではなく、希望するレイアウト画面が表示されるまで、他の画面レイアウト例をリモートコントローラ１２２等の操作によって表示させることができる。
【００９９】
ユーザは当該画面レイアウト例から、希望するレイアウト例をリモートコントローラの操作により選択する（ＳＴ１７０２）。各レイアウト例にはリモートコントローラの数字キーと対応する番号が付けられているため、ユーザは数字キーの操作だけで希望するレイアウト例を選択することができる。
【０１００】
レイアウト例の選択が終了すると、次のステップとして表示画面には、表示領域”ｒ１”に表示されるテレビ放送のソースを選択するための画面が表示される。具体的には図５の５０１に示すように、地上波放送を表示するかＣＳ／ＢＳ放送を表示するかをリモートコントローラのトグルによりまず選択し、当該選択の後、５０２に示すように放送されるチャンネルを数字キーにより選択する（ＳＴ１７０３）。同図では、地上波放送の６チャンネルが選択されたことになる。
【０１０１】
当該選択が終了すると、次のステップとして、表示画面には、図６に示すように、表示領域”ｒ１”に表示される地上波放送から抽出したキーワードを基に情報を検索する場合の検索エンジンを選択するための画面が表示される。
【０１０２】
ユーザはリモートコントローラのトグルにより複数の検索エンジンから希望する検索エンジンを選択する（ＳＴ１７０４）。
【０１０３】
当該選択が終了すると、次のステップとして、表示領域”ｒ２”に表示される検索結果のＷｅｂページのリンク先のページである表示領域”ｒ３”の表示方法を設定する（ＳＴ１７０５）。ユーザは、リモートコントローラの数字キーにより、リンク先のページを順次表示する場合の表示間隔の時間を設定する。また、表示領域”ｒ３”を更に２つの表示領域に分けて、複数のリンク先のページのうち２つのページを同時に表示するか否かを、リモートコントローラのトグルにより設定する。
【０１０４】
ユーザによる以上の選択により、表示画面の表示方法が全て特定されたことになる。ここで、特定された設定に変更がある場合（ＳＴ１７０６のＹｅｓ）には、設定し直したいステップを選択し（ＳＴ１７０７）、それぞれのステップの設定画面に戻って設定をし直す。
【０１０５】
上記設定が全て終了すると、制御部１０６の記述読込み機構２１３は、当該特定されたレイアウト例、チャンネル、検索エンジン及びリンク先の表示方法に対応する表示プログラムを、データ格納部２０４の表示プログラムデータ２０７から呼び出し、そのプログラムの記述の読込みを開始する（ＳＴ１７０８）。
【０１０６】
なお、当該表示プログラムを呼び出す場合は、図１８に示すように、複数のレイアウト例等に対応する表示プログラムがデータ格納部２０４にファイル１、ファイル２、ファイル３・・・等のファイルとして複数格納されているため、ユーザがあるレイアウト例等を選択した場合は、当該レイアウト例等に対応するファイルを呼び出すだけで済むことになる。
【０１０７】
そして、制御部１０６の記述判定機構２１４は読み込んだ記述がＸＭＬ文章か否か及びＳＭＩＬ文章か否か判定し（ＳＴ１７０９）、ＸＭＬ文章及びＳＭＩＬ文章でないと判定したときは、エラー処理する（ＳＴ１７１０）。
【０１０８】
更にＳＭＩＬ文章と判定されたときは、ＣＰＵ２１は記述判定機構２１４にＳＭＩＬ文章のパーシングを開始するよう命令し、記述判定機構２１４はＳＭＩＬ文章の切り分けを開始する。（ＳＴ１７１１）。
【０１０９】
次に、記述判定機構２１４は切り分けられた部分を例えば、複数の表示領域をＨ定義しそれぞれレイアウトする部分と、その定義された表示領域にどの外部情報源からの情報を表示するかを定義するとともに他の情報を付加させる部分に分けてそれぞれの内容を判定する（ＳＴ１７１２）。
【０１１０】
すなわち、記述判定機構２１４は図１１に示すようなＳＭＩＬ文章において要素１１の１の＜ｌａｙｏｕｔ  ｔｙｐｅ＝”ｔｅｘｔから要素１１０６の＜／ｌａｙｏｕｔ＞までのｒｅｇｉｏｎ要素のレイアウト情報をレイアウト機構２１６に伝え、テレビジョンセット１００の画面をレイアウトさせる。
【０１１１】
次に、記述判定機構２１４はＳＭＩＬ文章のＢａｓｉｃ  Ｍｅｄｉａから”ｓｒｃ”の属性を抽出させ、その後の記述から、ｒｅｇｉｏｎ要素によって定義された表示領域にどの外部情報源からの情報を表示するか、及びリンク先をどのように表示するかを判定する（ＳＴ１７１３）。
【０１１２】
そして、記述判定機構２１４が判定した外部情報源に関する情報は、レイアウト機構２１６及びリンク送り機構２１７に送られ、各機構が、判定された情報に基づいて表示画面を表示する（ＳＴ１７１４）ことにより終了する。
【０１１３】
なお、表示する際には、上述した図１０等に示すように、キーワードを生成して当該キーワードを基に関連情報を検索する過程を経て、当該検索結果及びそのリンク先の情報を上記表示プログラムに基づいて表示する。
【０１１４】
また、上述したリンク先のページの翻訳機能を実行する際は、リモートコントローラ１２２にページ翻訳ボタンを用意しておく。そして、リンク先のページが外国語で表示され、ユーザが当該ページの翻訳を希望する場合には、ユーザが当該翻訳ボタンを押すことにより翻訳が実行される。この場合にも、上述したように、図１６で示したような表示プログラムをファイルとして用意しておき、ユーザが翻訳ボタンを押すことにより当該表示プログラムを読み込み、上記手順と同様に表示する。また、翻訳に利用する翻訳サイトも、リモートコントローラ１２２でユーザが選択することにより変更することが可能である。
【０１１５】
なお、ユーザの上記選択により表示方法が決定され、表示された後でも、当該設定を変更することは勿論可能である。その場合は、Ｗｅｂ情報表示設定画面を再び表示させて、設定のやり直しをすればよい。
【０１１６】
このように、本実施形態によれば、テレビジョンセット１００の画面を表示するための表示プログラムに、複数の表示領域を定義しそれぞれレイアウトする部分と、その定義された表示領域にどの外部情報源からの情報を表示するかを定義することとしたので、特定の外部情報源からの情報を表示することを定義でき、ＵＲＩのルールを利用して自由に外部情報源からの情報を表示画面でレイアウトできる。
【０１１７】
また、検索結果のページのリンク先の内容を順番に閲覧したい場合、これまでユーザはリンク先を一つずつ指定する必要があったが、本発明においては当該リンク送りについても表示プログラムに記述することとしたため、ユーザは自らリンクをたどる必要も無く、所望する表示方法で容易にリンク先を閲覧することができる。また、写真などの画像を自動的に切り替えて表示することで、アルバムショーとしての利用も可能になる。
【０１１８】
更に、本実施形態においては、データ格納部には当該レイアウト、チャンネル、検索エンジンの全ての組み合わせに対応する表示プログラムがファイルとして格納されているため、上述したユーザの選択に対しては、当該選択に対応するファイルをデータ格納部から呼び出すだけで済むことになる。また、この構成により、ユーザも複雑な操作をすることなく、希望する画面表示形式を容易に選択することができる。
【０１１９】
なお、以上までは、予めレイアウトを記述した複数の表示プログラムファイルを別々に格納して、当該ファイルを切り替える方法について説明したが、当該方法の他にも、ＸＭＬのＤＯＭツリーを変更することにより、表示プログラムとしての記述言語を直接書き換えることで表示画面のレイアウトを変更する方法を用いてもよい。
【０１２０】
また、ここまでは、本発明をテレビジョンセットに適用した例について説明してきたが、本発明はこの例に限定されるものではなく、他の電子機器装置にも同様に適用することができる。以下において、本発明をＣＤ（Ｃｏｍｐａｃｔ  Ｄｉｓｋ）プレイヤやＭＤ（Ｍｉｎｉ−Ｄｉｓｋ）プレイヤ等のメディアプレイヤに適用した場合について説明する。
【０１２１】
本発明の第２の実施形態によれば、例えばＣＤプレイヤ、ＭＤプレイヤ等のメディアプレイヤで音楽を再生しているときに、ＣＤ及びＭＤに格納されているＴＯＣ情報を基にキーワードを生成し、当該キーワードを基に当該音楽に関連する情報をＷｅｂ上で検索し、当該情報を、ＣＤプレイヤ及びＭＤプレイヤの表示画面に表示することができる。なお、本実施形態においては当該ＣＤプレイヤ及びＭＤプレイヤがＷｅｂに接続できるものであることが前提となる。
【０１２２】
ここでＴＯＣ（Ｔａｂｌｅ  ｏｆ  Ｃｏｎｔｅｎｔｓ）とは、ディスクの内容を表した目次にあたるもので、ディスクの最内周に記録されている。ＣＤプレイヤ及びＭＤプレイヤは、このＴＯＣ情報を読み込むことにより、何曲目を再生させよという命令が来ると瞬時に目的の位置を探し出し、ピックアップを移動することができる。ＴＯＣの具体的な内容として、図１９のテーブル１９０３に示すように、ＣＤ１９０１やＭＤ１９０２の内容である音楽等の曲名、アーティスト名、アルバム名、作成年及びディスクの発売日、曲番号等が記録されている。
【０１２３】
本発明に係るメディアプレイヤは、当該ＴＯＣ情報を前記テレビジョンセットと同様の手順で認識し、キーワードを生成する。そして、メディアプレイヤが曲を再生しているときに、前記キーワードに基づいて当該再生している曲及び当該曲のアーティストに関連する情報をＷｅｂ検索する。そして当該検索の結果のＷｅｂページが、メディアプレイヤの表示画面に表示される。
【０１２４】
この際、前記テレビジョンセットと同様に、表示画面のレイアウトや検索エンジンを変更することも可能である。また、検索結果のＷｅｂページのリンク先のページを順次取得して表示することも可能である。
【０１２５】
ただ、これらのメディアプレイヤの表示画面はテレビジョンセット等に比べて小さいのが通常である。よって、検索結果のＷｅｂページ及び当該ページのリンク先のページをメディアプレイヤの表示画面に表示する場合は、図２０に示すように、例えばＭＤプレイヤ２００１のリモートコントローラ２００２の表示画面に、当該ページのテキスト情報のみを表示させるなど、ユーザが見やすい表示形態にすることも可能である。
【０１２６】
この構成によれば、メディアプレイヤを再生中に、当該再生されている曲やアーティスト等に関連する情報を曲の再生と同時に取得することができるため、ユーザにとって有用で的確な情報を提供することができる。
【０１２７】
また、ＴＯＣ情報は、再生される曲と直結した情報であるため、前記キーワードも当該曲との関連性が強く、そのキーワードを基に検索した結果も、ユーザが所望する的確な情報である可能性も高く、ユーザの利便性をより高めることができる。
【０１２８】
なお、本実施形態は、ＣＤプレイヤ及びＭＤプレイヤだけでなく、Ｗｅｂに接続する機能を持たせた電子機器装置ならばＤＶＤプレイヤや携帯電話等にも勿論適用が可能である。
【０１２９】
以上説明したように、従来電子機器装置において、逐次的に流れる情報からそれに関連する情報を検索して表示する場合は、ユーザが最も所望する情報を得られない場合があったが、本発明によれば、情報を検索する際に、より的確なキーワードを用いることによりユーザの所望する情報を検索することができる。
【０１３０】
すなわち、時間の経過と共に変化するテレビ放送等に関連する情報を、当該時間の経過に伴う変化に合わせて抽出し、当該抽出した情報からキーワードを生成するため、当該キーワードを基に情報を検索することによって、当該検索される情報の質を高めることができる。
【０１３１】
また、当該情報を表示する際のレイアウトや表示順番を表示プログラムである記述言語に集約して一元管理することにより、ユーザが見やすく利便性の高い電子機器装置を容易に提供することができる。
【０１３２】
更に、本発明を実施するためには専用サーバを必要としないため、従来の電子機器装置に対する整合性も非常に高くなる。
【０１３３】
【発明の効果】
以上説明したように、本発明によれば、ユーザが取得したい情報を的確に取得できる利便性の高い電子機器装置を提供することができる。
【図面の簡単な説明】
【図１】本発明の第１の実施形態に係るテレビジョンセットのシステムを示す概略図である。
【図２】図１の制御部のブロック図である。
【図３】本発明における表示画面のレイアウト例を示す図である。
【図４】本発明における表示画面のレイアウト例を選択する画面を示す図である。
【図５】本発明における表示画面のソースを選択する画面を示す図である。
【図６】本発明において検索エンジン及びリンク送りについて選択する画面を示す図である。
【図７】本発明におけるキーワード収集手段の構成を示す第１の説明図である。
【図８】本発明におけるキーワード収集手段の構成を示す第２の説明図である。
【図９】本発明における文字情報認識機構、画像情報認識機構及び音声情報認識機構の動作を示す説明図である。
【図１０】本発明におけるテレビジョンセットが、キーワードを生成してから検索結果を表示画面に表示するまでの流れを表したフロー図である。
【図１１】本発明における表示プログラムの記述例を示す図である。
【図１２】本発明において表示されるＷｅｂページのリンクの例を示す図である。
【図１３】本発明における表示方法の一例を示す図である。
【図１４】本発明において複数のリンク先を同時に表示する場合の説明図である。
【図１５】図１４の表示を実現する表示プログラムの記述例を示す図である。
【図１６】本発明においてページ翻訳を実現するための表示プログラムの記述例を示す図である。
【図１７】本発明において画面表示方法を設定する流れを示す図である。
【図１８】本発明における記述読込み機構と表示プログラムの関係を示す図である。
【図１９】本発明の第２の実施形態におけるＴＯＣ情報の説明図である。
【図２０】本発明をＭＤプレイヤに適用した場合を示す図である。
【符号の説明】
１００  テレビジョンセット
１０１  インターフェース部
１０２  Ａ／Ｖ＿ＳＷ
１０３  映像部
１０４  音響部
１０５  操作入力部
１０６  制御部
１０７  ＷＷＷ
１０８  ネットワークインターフェース部
１０９  ＢＳチューナ
１１０  地上波チューナ
１１１  ビデオ入力端子
１１２  オーディオ入力端子
１１３  メモリカードスロット
１１４  ＤＶ端子
１１５  機器
１１６  ディスプレイ
１１７  Ｙ／Ｃシンク  シグナル  プロセッサ
１１８  サウンドプロセッサ
１１９  オーディオアンプ
１２０  スピーカ
１２１  スイッチ部
１２２  リモートコントローラ
１２３  赤外線通信部
２０１  ＣＰＵ
２０２  ＲＡＭ
２０３  ＲＯＭ
２０４  データ格納部
２０５  ソフトウェア格納部
２０６  単語辞書
２０７  表示プログラムデータ
２０８  キーワード収集機構
２０９  情報検索機構
２１０  文字情報検索機構
２１１  画像情報認識機構
２１２  音声情報認識機構
２１３  記述読み込機構
２１４  記述判定機構
２１５  情報制御機構
２１６  レイアウト機構
２１７  リンク送り機構
３０１  テレビ放送等の動画
３０２  検索結果のＷｅｂページ
３０３  リンク先のＷｅｂページ
４０１  画面レイアウト例
５０１  テレビ放送選択画面
５０２  チャンネル選択画面
６０１  検索エンジン選択画面
６０２  リンク送り設定画面
７０１  テレビ番組表
７０２  データベース
８０１  単語テーブル
８０２  キーワードテーブル
９０１  テロップ情報
９０２  画像情報
９０３  音声情報
１２０１  リンク元のページ
１９０１  ＣＤ
１９０２  ＭＤ
２００１  ＭＤプレイヤ
２００２  ＭＤリモートコントローラ
【図１】
2004215094.tif 000003
【図２】
2004215094.tif 000004
【図３】
2004215094.tif 000005
【図４】
2004215094.tif 000006
【図５】
2004215094.tif 000007
【図６】
2004215094.tif 000008
【図７】
2004215094.tif 000009
【図８】
2004215094.tif 000010
【図９】
2004215094.tif 000011
【図１０】
2004215094.tif 000012
【図１１】
2004215094.tif 000013
【図１２】
2004215094.tif 000014
【図１３】
2004215094.tif 000015
【図１４】
2004215094.tif 000016
【図１５】
2004215094.tif 000017
【図１６】
2004215094.tif 000018
【図１７】
2004215094.tif 000019
【図１８】
2004215094.tif 000020
【図１９】
2004215094.tif 000021
【図２０】
2004215094.tif 000022